(57)【要約】【課題】画面目視の邪魔にならないように光センサを液晶ディスプレイに設けて、液晶パネルの表示画面の輝度ムラを測定可能で、小型化を図ることのでき、環境光（外光）やバックライトの測定を容易に行うことができる画像表示装置を提供する。【解決手段】光照射に起因した起電力を出力する、少なくとも１つの光センサと、液晶を駆動する画素電極と、画素電極をスイッチングするスイッチング素子とを同一の透明基板に薄膜形成した液晶パネルを有することにより、上記課題を解決する。【選択図】図３
2004078160.tif 000002
【特許請求の範囲】
【請求項１】
光照射に起因した起電力を出力する少なくとも１つの光センサと、液晶を駆動する画素電極と、前記画素電極をスイッチングするスイッチング素子とを同一の透明基板に薄膜形成した液晶パネルを有することを特徴とする画像表示装置。
【請求項２】
前記光センサと前記スイッチング素子とは、同一材料の薄膜で形成されていることを特徴とする請求項１に記載の画像表示装置。
【請求項３】
請求項１または２に記載の画像表示装置であって、
さらに、前記光センサからの出力を監視する制御部を有することを特徴とする画像表示装置。
【請求項４】
前記光センサは、表示裏側に配置したバックライトの照射光および画像の表示側から入射する環境光の少なくとも一方を感知することを特徴とする請求項１〜３のいずれかに記載の画像表示装置。
【請求項５】
前記少なくとも１つの光センサは、非表示領域に配置されることを特徴とする請求項１〜４のいずれかに記載の画像表示装置。
【請求項６】
請求項１〜５のいずれかに記載の画像表示装置であって、
さらに、前記液晶パネルのバックライトと、前記バックライトを制御する制御手段とを有し、
前記制御手段は、前記少なくとも１つの光センサによって環境光を測定するときには、前記バックライトを消灯し、前記少なくとも１つの光センサによって前記バックライトの照射光を測定するときは前記バックライトを点灯することを特徴とする画像表示装置。
【発明の詳細な説明】
【０００１】
【発明の属する技術分野】
本発明は、画像表示装置に関し、特に、医療用診断装置で撮影された画像等を表示する医用画像表示装置の技術分野に属し、詳しくは、医用画像を複数枚並べて可視像として表示することができる医用画像表示装置に関する。
【０００２】
【従来の技術】
超音波診断装置、ＣＴ診断装置、ＭＲＩ診断装置、Ｘ線診断装置、ＦＣＲ（富士コンピューテッドラジオグラフィー）などのＣＲ装置等の医療用診断装置で撮影（測定）された医用画像は、必要に応じて各種の画像処理を施された後、通常は、レーザプリンタやサーマルプリンタ等のプリンタによって、フィルム状の記録材料に可視像として再生されて、ハードコピーとして出力される。
医用画像を再生したフィルムは、医療現場において、シャーカステンと呼ばれるライトボックスを用いて観察され、各種の診断に利用される。
【０００３】
また、近年では、医療用診断装置で撮影された医用画像を、ＣＲＴ（Ｃａｔｈｏｄｅ
Ｒａｙ　Ｔｕｂｅ）や液晶ディスプレイ等の表示装置にソフトコピーとして再生して、診断することも行われている。さらに、ＣＲＴを備えた診断用ワークステーションと医療用診断装置とをネットワークで接続し、医療用診断装置と離れた診察室等で、撮影された医用画像を観察しながら診断することも行われるようになっている。
【０００４】
また、特に最近では、薄型の液晶ディスプレイは、高画質化が図られてきているため、ＣＲＴに代わって種々の表示分野で多用されてきている。液晶ディスプレイは、バックライトから照射される光を液晶に入射させるとともに、画像データに応じて対応する画素毎の液晶に印加する電圧を可変することによって、液晶を透過する光の透過率を可変させて表面側に画像を表示する。
【０００５】
特に、医療診断等の医用に使われる液晶ディスプレイでは、バックライトとして冷陰極蛍光ランプ（ＣＣＦＬ”Ｃｏｌｄ　Ｃａｔｈｏｄｅ　Ｆｌｕｏｒｅｓｃｅｎｔ　Ｌａｍｐｓ”）が使われている。このＣＣＦＬは、ランプ電流値を調節することによって輝度を調節できる原理になっている。また、このＣＣＦＬには、直下式の構造とエッジライト式の構造がある。
【０００６】
直下式のＣＣＦＬに用いられるものとしては、複数の直管、Ｕ字管またはＷ字管等の形状がある。この直下式のＣＣＦＬは、液晶を封入したアレイ基板の表示領域面の真下に配置され、直接的に表示領域の液晶に光を照射する構造である。なお、直下式のＣＣＦＬの上面には、ライトカーテンや拡散板を取りつけ、輝度ムラを低減するようになっている。
【０００７】
この直下式のＣＣＦＬは、直接的に表示領域の液晶に光を照射するため、光量を効率良く利用することができ、高輝度化が容易である。そのため、特に、高輝度が必要な医療分野のシャーカステンとして（いわゆる、電子シャーカステン）の画像表示では、この構造が主流である。すなわち、この直下式のＣＣＦＬを搭載した液晶ディスプレイは、後述するエッジライト式のＣＣＦＬを搭載した液晶ディスプレイに比べ、高輝度を得るのに適しているため、医療分野でのシャーカステンとして用いられることが多い。
【０００８】
一方、エッジライト式のＣＣＦＬに用いられるものとしては、直管、コ字管またはＬ字管等の形状がある。このエッジライト式のＣＣＦＬは、表示領域の液晶に対向させた導光板のエッジに配置され、その導光板を介して間接的に表示領域の液晶を照射する構造である。なお、ＣＣＦＬの近傍には、反射光を導光板に向けて集光するリフレクタが配置されている。また、導光板には、エッジからの入射光を表示領域の液晶に向けて反射する反射シートが設けられている。
【０００９】
このエッジライト式のＣＣＦＬを搭載した液晶ディスプレイも、ＣＣＦＬ自体の発光輝度を高輝度にすることにより、医療分野でのシャーカステン（電子シャーカステン）として用いられ得る。
【００１０】
【発明が解決しようとする課題】
ここで、医療用診断装置を用いた診療では、より的確な診断を行うために、１回の診断に対して、撮影の条件や角度、さらには、部位を変更して、多数枚の画像を撮影するのが通常である。シャーカステンを用いる通常の診断では、このようにして撮影した医用画像を再生したフィルムを、複数枚、シャーカステンに並べ、各画像を比較観察しながら診断を行う。
【００１１】
ところが、医療用診断装置で撮影した複数枚の医用画像を複数台のＣＲＴや液晶ディスプレイに表示して診断を行う場合には、１台のＣＲＴや液晶ディスプレイの画面に１枚の画像を表示するのが一般的である。そのため、複数台のＣＲＴや液晶ディスプレイは、１台毎に輝度を調整しなければならない。
【００１２】
特に、直下式のＣＣＦＬを搭載した液晶ディスプレイでは、表示領域の液晶に対して複数の発光管が配置されるため、それぞれの発光管の光量を均一にしなければ、輝度ムラが発生してしまう。このように発生する輝度ムラは、特に医療分野においては、誤診に繋がる深刻な問題であり、速やかに輝度ムラを補償しなければならない。また、直下式またはエッジライト式のいずれのＣＣＦＬであっても、輝度の低下は、画像が見えにくくなり誤診に繋がる問題などを引き起こすため、適正な高輝度を保つ必要がある。
【００１３】
そのため、従来は、その都度、輝度計によって計測して輝度ムラを調整している。この場合には、その都度、輝度計を必要として不便であるため、液晶ディスプレイの裏側に穴をあけて光センサを設置して、バックライトの輝度を測定したり、液晶ディスプレイの前面側に光センサを設置して、輝度を測定したりしている。
【００１４】
しかしながら、液晶ディスプレイの裏側に穴をあける場合には、その穴によって輝度ムラを引き起こすことになり、また、液晶ディスプレイの前面側に光センサを設置する場合には、光センサのためのスペースが必要であり、画面目視の邪魔になるという問題点がある。
【００１５】
また、フィルムに再生した画像を用いて診断を行う場合には、言うなれば画像は固定されたものであり、シャーカステンの輝度や観察環境による若干の違いは有するものの、基本的に、同じ画像を観察して診断を行うことができる。
しかしながら、ＣＲＴや液晶ディスプレイ等のディスプレイに表示された画像を用いて診断を行う場合には、固定されているのは画像データであって、表示画像、すなわち診断画像は、ディスプレイの種類や状態、経時的な変動等によって変わってしまう。このような画像の違いは、誤診の原因とも成り得る重大な問題である。そのため、ディスプレイ診断を行う場合には、ディスプレイの状態を適正に保つための品質管理（ＱＣ）が重要である。
【００１６】
ディスプレイの品質管理においては、観察条件、（輝度）階調特性、空間解像度、幾何学寸法等の様々な試験項目が設定されるが、これらの試験を実施するための重要な測定として、ディスプレイの最高輝度や最低輝度、周囲光によるディスプレイの表面反射輝度などの輝度測定が挙げられる。
【００１７】
このような輝度測定を行うためには、外部の輝度計を用いる必要があり、測定に手間がかかる。特に、高精度な輝度測定を行うためには、望遠輝度計を用いる必要があるが、望遠輝度計は高価であり、かつ、取り扱いにも手間がかかる。また、簡易な輝度測定を行える輝度計として、接触型の輝度計が知られているが、周知のように、ＬＣＤでは画像表示面に力がかかると、表示画像が変動してしまうため、接触型輝度計では適正な輝度測定を行うことができない。
さらに、ＤＩＣＯＭ（医療用画像データや波形データ等の伝送規格）に準拠して品質管理を行う場合には、観察条件における表面反射輝度の測定を望遠輝度計で測定する必要がある。
そのため、ディスプレイの品質管理作業が煩雑であるという問題点がある。
【００１８】
そこで、本発明の第１の目的は、上記従来技術の問題点を解決し、バックライトの寿命などの理由に起因する液晶パネルの輝度ムラを測定する光センサが画面目視の邪魔にならず、小型化を図ることのでき、環境光（外光）やバックライトの測定を容易に行うことができる画像表示装置を提供することにある。
【００１９】
また、本発明の第２の目的は、上記目的に加え、外部の輝度計を用いることなく、簡便に表面反射輝度、最高輝度や最低輝度の測定を行うことができ、ディスプレイの品質管理（ＱＣ）の作業性を大幅に向上できる画像表示装置、特に、医用画像の表示品質管理（ＱＣ）を容易に行うことができる医用画像表示装置およびシステムを提供することにある。
【００２０】
【課題を解決するための手段】
上記目的を達成するために、本発明は、光照射に起因した起電力を出力する少なくとも１つの光センサと、液晶を駆動する画素電極と、前記画素電極をスイッチングするスイッチング素子とを同一の透明基板に薄膜形成した液晶パネルを有することを特徴とする画像表示装置を提供するものである。
【００２１】
ここで、前記光センサと前記スイッチング素子とは、同一材料の薄膜で形成されているのが好ましい。
なお、同一材料とは、ｐ型やｎ型にするドーパントを除いた母材となる半導体が同一であり、光センサおよびスイッチング素子（ＴＦＴ）のｐｎ接合部を大幅な工程増加なしで、薄膜形成することができることを意味する。また、同一材料は、アモルファス・シリコンまたは多結晶シリコンであることが好ましい。
【００２２】
また、本発明の画像表示装置において、さらに、前記光センサからの出力を監視する制御部を有するのが好ましい。
なお、さらに、前記光センサによって測定した結果をモニタに表示する表示手段または音声出力する音声出力手段を有するようにしてもよい。また、前記制御部は、前記表示手段および音声出力手段は、画像表示装置自体に設けるようにしても、また、画像表示装置を搭載する画像表示システム（例えば、医用画像表示の場合の電子シャーカステンシステム）側に設けるようにしてもよい。
【００２３】
また、前記光センサは、表示裏側に配置したバックライトの照射光および画像の表示側から入射する環境光の少なくとも一方を感知できるようにするのが好ましい。
【００２４】
なお、前記光センサの表示側の上方に位置するブラックマトリックスに穴を設け、環境光を入射しやすくするのが好ましい。特に、前記穴に光透過部材を薄膜形成するのが好ましい。この時、例えば絶縁膜として使用する材料は、ＳｉＯ２　でよい。透明な材質であり電気的に上下層と絶縁できるからである。また、上または下に積層されたいずれかの層の材料を充填するようにしてもよい。
【００２５】
また、前記少なくとも１つの光センサは、非表示領域に配置されるのが好ましい。
このように、非表示領域に光センサが配置されれば、表示領域での画像表示に影響を与えることもない。また、前記光センサは、アモルファス・シリコンまたは多結晶シリコンからなるダイオードとすればよい。特に、多結晶シリコンによって光センサを薄膜形成する場合には、回路の高密度化が図れるため、光センサを成膜する面積を狭くすることができ、従来の液晶パネルに比べて大型化することもない。
【００２６】
また、本発明の画像表示装置において、さらに、前記液晶パネルのバックライトと、前記バックライトを制御する制御手段とを有し、前記制御手段は、前記少なくとも１つの光センサによって環境光（外光）を測定するときには、前記バックライトを消灯し、前記少なくとも１つの光センサによって前記バックライトの照射光を測定するときは前記バックライトを点灯するのが好ましい。
また、予め、暗室下における前記液晶パネル（画像表示装置、すなわちその画像表示）の最高輝度と前記バックライト測定結果との関係、ならびに、暗室下における前記液晶パネルの最低輝度と前記バックライトの測定結果との関係を取得しておき、前記光センサによるバックライトの測定結果から、前記液晶パネルの最高輝度および最低輝度を検出するのが好ましく、さらに、予め、前記液晶パネルの表面反射輝度と前記外光の測定結果との関係を取得しておき、前記光センサによる環境光（外光）の測定結果から、前記液晶パネルの表面反射輝度を検出するのが好ましい。
【００２７】
また、本発明の画像表示装置は、前記液晶パネルに医用画像を表示する医用画像表示装置であるのが好ましい。
【００２８】
この発明の構成では、画素電極とスイッチング素子と同一のガラスや透明樹脂などの透明基板に光センサを薄膜形成する。特に、光センサは、同一工程によって、画素電極とスイッチング素子とともに透明基板に薄膜形成できる。つまり、画素電極やスイッチング素子のパターンに光センサのパターンを組み込んでおけば、レジスト、現像、エッチング、レジスト剥離等の工程を繰り返すことによって、画素電極やスイッチング素子とともに透明基板に光センサを容易に薄膜形成することができる。
【００２９】
したがって、本発明の構造によれば、別体の光センサを液晶パネルに設置したり、別体の輝度計を使用したりしなくても、環境光やバックライトの光量を計測することができるようになる。
【００３０】
また、光センサを透明基板に組み込んであるため、輝度計等の特別な計測装置をその都度用意しなくてもよく、リアルタイムに計測して輝度ムラを補償することができる。また、環境光（外光）やバックライトの光量を感知するための光センサを搭載した画像表示装置の小型化を図るのに有用な構造を提供することができる。
特に、本発明の画像表示装置は、環境光やバックライトの測定を容易に行うことができ、ディスプレイの品質管理（ＱＣ）の作業性を大幅に向上でき、特に、医用画像の表示品質管理（ＱＣ）を容易に行うことができるので、医用画像表示装置として有用である。
【００３１】
また、特に、複数のＣＣＦＬを配置する直下型バックライトの場合には、ＣＣＦＬ毎に光センサを配置して計測し、輝度が暗くなってきているＣＣＦＬに対して電流を制御することによって、輝度の均一性の経年変化を補償することができる。
【００３２】
なお、薄膜形成した光センサは、液晶パネルの前面側または後面側から入射する環境光を感知して、光量に応じた信号（例えば、電流値、電圧値または電力値）を出力する。そして、その定量的な判断は、液晶パネルと別体に設けた制御部（ＣＰＵ）が行うようにすればよい。また、前記制御部は、液晶パネル自体に薄膜形成されるようなものでもよい。
【００３３】
さらに、本発明は、前記画像表示装置毎に、前記光センサによって測定した結果をモニタへ表示する表示手段または音声出力する音声出力手段を有することを特徴とする画像表示システムを提供するものである。
なお、本発明の画像表示システムは、特に、医用画像表示システムとして有用である。
【００３４】
【発明の実施の形態】
以下、本発明に係る画像表示装置およびこれを用いる画像表示システムについて、添付の図面に示される好適実施例を基に、詳細に説明する。以下では、医用画像表示装置およびこれを用いる医用画像表示システムを代表例として説明するが、本発明はこれに限定されないことはいうまでもない。
【００３５】
図１は、本発明の医用画像表示装置に使用する液晶パネルの一実施例の要部構造を示す平面図である。参照符号１０は、液晶パネルである。この液晶パネル１０は、図１では、画素電極やスイッチング素子の駆動回路を形成するアレイ基板を主に表し、アレイ基板に対向して配置するカラーフィルタなどを形成した対向基板を省略してある。
【００３６】
この液晶パネル１０は、平板状のガラスからなるアレイ基板に、図示を省略する薄膜トランジスタ（ＴＦＴ（Ｔｈｉｎ　Ｆｉｌｍ　Ｔｒａｎｓｉｓｔｏｒ））や透明な画素電極（ＩＴＯ（Ｉｎｄｉｕｍ　Ｔｉｎ−Ｏｘｉｄｅ））や配線パターンを薄膜形成した表示領域２０と、この表示領域２０の外側に設けた非表示領域３０とを有している。
【００３７】
そして、この非表示領域３０には、光センサ４０が薄膜形成してある。この光センサ４０は、ＴＦＴと同じアモルファス・シリコン（ａ−Ｓｉ）によって、ｐｎ接合した構造になっている。この光センサ４０は、光起電力効果を利用したセンサである。この光センサ４０は、ｐｎ接合の界面に光が照射されると、光生成キャリアが作られ、生じた電子と正孔が電界によって互いに反対方向にドリフトを受けて電荷の分離を引き起こし、受光に起因した起電力を生じる。
【００３８】
また、液晶パネル１０には、ＴＦＴのゲートを制御するゲートドライバ５０と表示される画像の画像データに応じて液晶パネル１０に印加する信号電圧レベルを制御するソースドライバ５１とが、ＴＡＢ６０によって電気的に接続されている。また、光センサ４０も同様に、ＴＡＢ６０によって上位に電気的に接続されている。
【００３９】
また、液晶パネル１０の裏側には、画素電極を透過させる光を発するバックライト７０が配置されている。このバックライト７０の近傍には、光センサ４０が配置されている。また、バックライト７０の発する光を導く図示しない導光板が表示領域２０の裏面に配置されている。
【００４０】
図２は、本発明の医用画像表示装置を含む医用画像表示システムの光計測処理および表示処理を説明する要部構成を示すブロック図である。
ここで、参照符号８０は、医用画像表示システムである。この医用画像表示システム８０は、光センサ４０と、この光センサ４０から送られてくる電圧値を増幅する増幅器８１と、この増幅器８１から送られてくるアナログ値としての電圧値をデジタル値としての光量データに変換するＡ／Ｄ変換器８２と、光量データをモニタする光量モニタ８３と、この光量モニタ８３からの信号を受けて光計測処理および表示処理を行う制御部８４と、制御部８４によって制御されるバックライト７０と、制御部８４とバックライト７０との間に配置されるバックライトドライバ７３とを有している。なお、制御部８４内には、外部の画像データ供給源（図示せず）からの画像データ信号Ｒを受信して液晶パネル１０の輝度階調を補正する階調補正部、すなわち階調補正用ＬＵＴ（ルックアップテーブル）８７を有する。このＬＵＴ８７による階調補正およびＬＵＴ８７のキャリブレーションについては後述する。
【００４１】
つまり、この医用画像表示システム８０では、光センサ４０が環境光やバックライトの光を受けて起電力を発生すると、それに応じた電圧値が増幅器８１によって増幅され、Ａ／Ｄ変換器８２によってアナログ値としての電圧値をデジタル値としての光量データに変換する。
【００４２】
そして、光量モニタ８３が、リアルタイムに送られてくる光量データをモニタし、異常が発生すると、上位の制御部８４に異常信号を送る。制御部８４では、異常信号を受けると、ゲートドライバ５０またはソースドライバ５１を制御し、環境光（外光）またはバックライト７０の光量異常を液晶パネル１０に表示させるか、あるいは、図示しないスピーカから光量異常の警報を発するか、もしくは光量異常の表示および警報の両方を行う。
【００４３】
なお、バックライト７０が、電流によって明るさを調節することができるＣＣＦＬの場合には、制御部８４は、供給する電流値を制御してＣＣＦＬを調節するようにしてもよい。
【００４４】
図３（ａ）は、本発明の医用画像表示装置のアレイ基板の一実施例の要部構造を説明する断面図である。このアレイ基板は、絶縁膜９２、ｐ型ａ−Ｓｉ９４、ｎ型ａ−Ｓｉ９８および光センサ用電極１０２および１０２で構成する光センサ４０と、画素電極９９と、ゲート電極９１、絶縁膜９２、ノンドープａ−Ｓｉ膜９３、ｎ型ａ−Ｓｉ膜９６、９７、ソース電極１００およびドレイン電極１０１で構成するＴＦＴ２２とを同一の透明基板９０上に薄膜形成した構造になっている。特に、光センサ４０とＴＦＴ２２とは、ａ−Ｓｉという同一材料によって形成された構造となっている。なお、光センサ４０とＴＦＴ２２とを構成する同一材料としては、ａ−Ｓｉの他に、多結晶シリコンによってもよい。
なお、図示されていないが、光センサ４０とＴＦＴ２２との上層には、窒化珪素（ＳｉＮｘ　）　等よりなる保護膜が存在する。
【００４５】
また、光センサ４０の絶縁膜９２を無くし、透明基板９０上に直接ｐ型ａ−Ｓｉ９４を成膜するようにしてもよい。一般に、絶縁膜９２にはＳｉＯ２　が用いられ、その界面では光の入射時や射出時に反射が起きるため、光センサ４０へ入射する光量を減衰させてしまう。そのため、このように、透明基板９０に直接ｐ型ａ−Ｓｉを成膜すると、絶縁膜９２を介するよりも光の透過率を上げることが期待できる。
【００４６】
光センサ４０では、矢印α方向からの光（環境光）でも、矢印β方向からの光（バックライトからの光）でも、ｐ型ａ−Ｓｉ９４とｎ型ａ−Ｓｉ９８との接合面でキャリアの移動が起き、光照射に起因する起電力が発生する。その発生した起電力は、光センサ用電極１０２および１０２から外部に取り出すようになっている。
また、β方向からの光（バックライト７０からの光）を遮光したい場合、例えば、環境光（外光）のみを測定したい場合には、図３（ｂ）のように、ｐ型ａ−Ｓｉ９４の直下であって透明基板９０と絶縁膜９２との間に遮光のためのダミー電極９１ａを設けた構造とすれば良い。この遮光のためのダミー電極９１ａは、ゲート電極９１と同時に透明基板９０上に成膜して作製することができる。
【００４７】
図４および図５は、図３（ａ）に示すアレイ基板の製造工程を説明する工程図である。このアレイ基板では、金属膜形成、レジスト、マスク、露光、現像、エッチング、レジスト剥離という一連の工程を繰り返すことによって、画素電極９９やＴＦＴ２２とともに光センサ４０を薄膜形成する。まず、透明基板（ガラス基板）９０の上にゲート電極９１を形成し（図４Ａ参照）、絶縁膜９２を形成する（図４Ｂ参照）。
【００４８】
その後、ノンドープのａ−Ｓｉ膜９３を形成して（図４Ｃ参照）、ホウ素をドープしたｐ型ａ−Ｓｉ９４を形成して（図４Ｄ参照）、絶縁膜９５を形成し（図５Ｅ参照）、次に、リンをドープしたｎ型ａ−Ｓｉ膜９６、９７、９８を形成し（図５Ｆ参照）、続いて、画素電極９９を形成し（図５Ｇ参照）、次に、ソース電極１００とドレイン電極１０１と光センサ用電極１０２，１０２を形成して（図５Ｈ参照）、光センサ４０と画素電極９９とＴＦＴ２２とを同一の透明基板９０上に薄膜形成する。
【００４９】
図６は、本発明の医用画像表示装置の液晶パネルの一実施例の要部構造を示す概略図である。この液晶パネルは、光センサ４０とＴＦＴ２２と画素電極９９を薄膜形成した透明基板９０と、透明基板１とをシール部材４によって接着した構造をしている。透明基板９０と透明基板１との間には、図示しない液晶とスペーサが封入される。なお、図中、透明基板９０の下方には、光を照射するバックライト７０と、このバックライト７０の照射する光を透明基板９０のほぼ全面に渡って導く導光板７１と、この導光板７１によって導かれた光を拡散することによって輝度ムラを低減して透明基板９０側に入射させる拡散板５とが配置されている。
【００５０】
透明基板１の上には、ＴＦＴ２２の上方を遮光するブラックマトリックス２と画素電極９９の上方に配置されるカラーフィルタ３とが主に成膜されている。光センサ４０の上方のブラックマトリックス２には、外部の環境光を取り入れる窓穴２ａが形成されている。なお、ブラックマトリックス２は、金属クロムによる単層膜、金属クロム／酸化クロムによる複合膜またはカーボンを混入させた樹脂膜等の材質が多用される。また、ブラックマトリックス２に形成した窓穴２ａには、透明なＳｉＯ２　等の絶縁物質を充填するのが好ましい。
【００５１】
なお、光センサ４０の部分が、シール部材４の外側になるようにしてもよい。この構成の場合には、環境光（外光）を取り入れるための窓穴２ａを形成しなくてもよい。また、バックライト７０からの光を計測する場合の構造では、窓穴２ａを形成しない方が好ましい。なお、環境光とバックライト７０からの光とを別々に計測する場合には、環境光を取り入れるための窓穴２ａを形成した光センサ４０と、バックライト７０からの光を計測するために窓穴２ａが形成されていない光センサ４０とを、別々の場所に設けておく。
【００５２】
また、ここでは、光センサが一つの場合を例に説明したが、複数の光センサを配置してより感度を上げるようにするのが好ましい。また、環境光測定用とバックライト光量測定用の光センサを別々に複数配置するのが好ましい。
【００５３】
図７は、本発明の医用画像表示装置に搭載する光センサのｐｎ接合を使わない別の実施例を説明する図である。図７（Ａ）には光センサの断面図を、図７（Ｂ）にはゲート電極の平面図を、図７（Ｃ）にはゲート電極の他の例の平面図を示す。図７（Ａ）において、参照符号１４０は、光センサである。この光センサ１４１は、ゲート電極９１と、絶縁膜９２と、ノンドープａ−Ｓｉ膜９３と、ｎ型ａ−Ｓｉ膜９６、９７と、ソース電極１００と、ドレイン電極１０１と、ゲート電極９１に穴をあけて充填した透明部材１４１とを透明基板９０上に薄膜形成した構造になっている。
【００５４】
なお、ここでは、ＴＦＴ２２の構成と同一のものには、同一符号を付してあることからも明らかなように、ＴＦＴ２２と光センサ１４０とは、ゲート電極９１に設けた透明部材１４１の有無が異なっている。この透明部材１４１は、透明基板９０側から透過してくるバックライト７０（ここでは図示省略）の光をａ−Ｓｉ膜９３に透過させる機能がある。これによって、ａ−Ｓｉ膜９３では、ｐｎ接合でなくても、光照射に起因したリーク電流による起電力が発生するため、ＴＦＴ２２の構造を持ちながら光センサ１４０の特性を生かすことができる。
【００５５】
また、透明部材１４１は、例えば図７（Ｂ）に示すように、円形状のゲート電極９１に対して同心円形状に形成すればよい。なお、図７（Ｃ）に示すように、ゲート電極９１には、Ｈ文字形状の透明部材１４２を形成してもよい。また、ここでは透明部材１４１、１４２の形状を例に挙げたが、これらの形状に限らなくてもよい。さらに、図７（Ｂ）および（Ｃ）の２点鎖線で示すように、ゲート電極９１が、矩形状であっても、その他の形状でもよい。
【００５６】
なお、透明部材１４１は、薄膜であることを考慮すれば、例えば、ＳｉＯ２　を積層するのが好ましい。
【００５７】
図１に示す液晶パネル１０を用いる医用画像表示装置を使用する、図２に示す本発明の医用画像表示システム８０の光計測処理および表示処理、特に、液晶パネル１０の輝度階調を補正する階調補正用ＬＵＴ（階調補正部）８７による階調補正およびＬＵＴ８７のキャリブレーションについて説明する。
【００５８】
図示例の医用画像表示システム８０において、液晶パネル１０による表示画像の画像データＲは、外部の画像データ供給源（図示せず）から制御部８４に供給され、ＬＵＴ（階調補正部）８７に供給される。
ＬＵＴ（階調補正部）８７は、（輝度階調）キャリブレーションによって作成（更新）された階調補正用ＬＵＴによって、画像データＲを補正して、所定の（輝度）階調特性の画像に対応する画像データとするブロックである。
【００５９】
図示例においては、一例として、ＬＵＴ８７は、表示画像が、ＤＩＣＯＭ
（Ｄｉｇｉｔａｌ　Ｉｍａｇｉｎｇ　ａｎｄ　Ｃｏｍｍｕｎｉｃａｔｉｏｎｓ　ｉｎ　Ｍｅｄｉｃｉｎｅ「医療用画像データや波形データ等の伝送規格」）のＧＳＤＦ（Ｇｒａｙｓｃａｌｅ　Ｓｔａｎｄａｒｄ　Ｄｉｓｐｌａｙ　Ｆｕｎｃｔｉｏｎ「グレースケール標準表示関数」）に対応する階調特性の画像となるように、供給された画像データＲを補正する。
ＬＵＴ８７で補正された画像データは、次いで、液晶パネル１０のＬＣＤドライバに供給される。
ＬＣＤドライバは、ゲートドライバ５０およびソースドライバ５１を含み、ＬＵＴ８７から供給された画像データを、液晶パネル１０に対応する駆動信号に変換して、ゲートドライバ５０およびソースドライバ５１に送り、液晶パネル１０の該当するＴＦＴ２２を駆動する。
【００６０】
図示例の医用画像表示システム８０においては、上述したような光計測処理をによって、環境光（以下、外光という）を測定して、液晶パネル１０（画像観察面）の表面反射輝度を検出し、また、バックライト７０の照射光を測定して、液晶パネル１０の最高輝度および最低輝度を検出する。
以下、この外光の測定による表面反射輝度検出、およびバックライト７０の照射光の測定による最高輝度および最低輝度検出、ならびにその際における制御部８４およびＬＵＴ８７作用を説明することにより、本発明の画像表示装置およびシステムならびに光計測処理方法について、より詳細に説明する。
【００６１】
外光の測定によって表面反射輝度を検出するために、予め、望遠輝度計と照度計とを用いて、液晶パネル１０に入射する外光の照度Ｅ［ｌｘ］と表面反射輝度Ｌａｍｂ　［ｃｄ／ｍ２　］との関係、および、同照度Ｅと光センサ４０（図６参照）の出力信号ｘ（デジタルデータ）との関係を調べる。
【００６２】
照度Ｅと表面反射輝度Ｌａｍｂ　との関係を調べる際には、制御部８４がＬＣＤドライバ（ゲートドライバ５０およびソースドライバ５１）およびバックライトドライバ７３に作用して（以下、制御部８４の作用は省略する）、液晶パネル１０を黒表示（液晶パネル１０の表示領域（有効画素領域）２０の全域が最低輝度（液晶が最も光を透過させない状態）となる表示状態をいう）とし、バックライトをｏｆｆとし、液晶パネル１０の表面に照度計を配置して、液晶パネル１０の表面における外光の照度Ｅを測定し、かつ、その際における液晶パネル１０の表面反射輝度Ｌａｍｂ　を望遠輝度計で測定する。これを様々な光量の照明下で行い、照度Ｅと表面反射輝度Ｌａｍｂ　との関係を得る。
両者の関係は、拡散反射係数ρを用いて、「Ｌａｍｂ　＝ρＥ」で示され、すなわち、表面反射輝度Ｌａｍｂ　は、照度Ｅに比例して大きくなる。
【００６３】
一方、照度Ｅと光センサ４０の出力信号ｘとの関係を調べる際には、バックライトをｏｆｆとし、同様にして液晶パネル１０の表面の照度Ｅを測定し、かつ、その際の外光（の光量）を光センサ４０で測定する。これを様々な光量の照明下で行い、照度Ｅと光センサ４０の出力信号ｘとの関係を得る。
前述のように、バックライトｏｆｆでは、光センサ４０の出力信号ｘは、液晶パネル１０に入射する外光の光量、すなわち照度Ｅに比例して大きくなる。この比例定数をｋ１　とすると、外光の照度Ｅと出力信号ｘとの関係は、「ｘ＝ｋ１　Ｅ」で示すことができる。
【００６４】
表面反射輝度Ｌａｍｂ　は「Ｌａｍｂ　＝ρＥ」で示され、外光の照度Ｅに比例して大きくなる。また、光センサ４０の出力信号ｘも、「ｘ＝ｋ１　Ｅ」で、外光の照度Ｅに比例して大きくなる。従って、表面反射輝度Ｌａｍｂ　と光センサ４０の出力信号ｘも、比例関係にある。
すなわち、「Ｅ＝ｘ／ｋ１　＝Ｌａｍｂ　／ρ」であるので「ｘ＝Ｌａｍｂ　ｋ１　／ρ」となり、「Ｌａｍｂ　＝（ρ／ｋ１　）ｘ」となる。（ρ／ｋ１　）をｋ２　とすれば、図８（Ａ）に示されるように「Ｌａｍｂ　＝ｋ２　ｘ」となる。
【００６５】
従って、予め、図８（Ａ）の関係や、比例定数ｋ２　（以下、反射輝度係数ｋ２　とする）を調べておき、前述のように、バックライトｏｆｆとして光センサ４０によって外光を測定することにより、この測定結果すなわち光センサ４０の出力信号ｘから、液晶パネル１０の表面反射輝度Ｌａｍｂ　を測定することができる。
【００６６】
他方、前述したように、窓穴２ａが形成されていない、すなわちブラックマトリックス２で覆われた光センサ４０によるバックライト７０の照射光の測定によって、液晶パネル１０の最高輝度および最低輝度を検出するために、予め、望遠輝度計を用いて、最高輝度および最低輝度と、光センサ４０によるバックライト７０の照射光の測定結果との関係を調べる。
この関係を調べる際には、暗室下において、バックライト７０がｏｎの状態で光センサ４０の出力信号ｙを測定し、また、このバックライト輝度における、黒表示の際の液晶パネル１０の表示輝度（最低輝度Ｌｍｉｎ　）、および、白表示（液晶パネル１０の表示領域（有効画素領域）２０の全域が最高輝度（液晶が最大に光を透過する状態）となる表示状態をいう）の際の液晶パネル１０の表示輝度（最高輝度Ｌｍａｘ　）を望遠輝度計で測定する。この測定を、様々なバックライト輝度（バックライト７０の出力）で行うことにより、光センサ４０の出力信号ｙと、最高輝度Ｌｍａｘ　および最低輝度Ｌｍｉｎ　との関係を調べる。
【００６７】
医用画像表示装置（液晶パネル１０）に変動がなければ、液晶パネル１０の最高輝度Ｌｍａｘ　および最低輝度Ｌｍｉｎ　は、図８（Ｂ）に示されるように、バックライト７０の輝度、すなわち光センサ４０の出力信号ｙに比例する。すなわち、最高輝度Ｌｍａｘ　と出力信号ｙとの比例定数をａ、最低輝度Ｌｍｉｎ　と出力信号ｙとの比例定数をｂとすると、「Ｌｍａｘ　＝ａｙ」、「Ｌｍｉｎ　＝ｂｙ」となる。
【００６８】
従って、予め、図８（Ｂ）の関係や、比例定数ａ（以下、最高輝度係数ａとする）および比例定数ｂ（以下、最低輝度係数ｂとする）を調べておき、前述のように、液晶パネル１０を黒表示、バックライト７０をｏｎとして光センサ４０によってバックライト７０の照射光を測定することにより、この測定結果すなわち光センサ４０の出力信号ｙから、液晶パネル１０の最高輝度Ｌｍａｘ　および最低輝度Ｌｍｉｎ　を検出することができる。
【００６９】
医用画像表示装置（液晶パネル１０）において、制御部８４は、前述のようにして算出した反射輝度係数ｋ２　、最高輝度係数ａおよび最低輝度係数ｂを記憶している。
制御部８４は、外部入力された指示等に応じて、バックライト７０をｏｆｆにして、光センサ４０で外光を測定して、出力信号ｘおよび反射輝度係数ｋ２　を用いて、液晶パネル１０（医用画像表示装置）の表面反射輝度Ｌａｍｂ　を検出し、また、液晶パネル１０を黒表示、バックライト７０をｏｎにして、光センサ４０でバックライト７０の照射光を測定して、出力信号ｙならびに最高輝度係数ａおよび最低輝度係数ｂを用いて、液晶パネル１０の最高輝度Ｌｍａｘ　および最低輝度Ｌｍｉｎ　を検出する。
【００７０】
すなわち、本発明によれば、望遠輝度計等を用いることなく、環境光（外光）やバックライト７０の照射光を測定して、液晶パネル１０の表面反射輝度や液晶パネル１０の最高輝度および最低輝度を検出できるので、液晶パネル１０（医用画像表示装置）の品質管理（ＱＣ）を簡易な操作で簡便に行うことができる。
【００７１】
医用画像表示システム８０においては、（輝度階調）キャリブレーションを行う際には、制御部８４は、前述のようにして、液晶パネル１０の表面反射輝度Ｌａｍｂ　、ならびに、液晶パネル１０の最高輝度Ｌｍａｘ　および最低輝度Ｌｍｉｎ　を検出して、階調補正部の階調補正用ＬＵＴ８７を更新する。前述のように、医用画像表示装置は、ＤＩＣＯＭのＧＤＳＦ階調の画像表示を行うものであるので、制御部８４は、
Ｌｍａｘ　’＝Ｌｍａｘ　＋Ｌａｍｂ　
Ｌｍｉｎ　’＝Ｌｍｉｎ　＋Ｌａｍｂ　
によって、Ｌｍｉｎ　’〜Ｌｍａｘ　’の液晶パネル１０（医用画像表示装置）の輝度レンジを算出し、この輝度レンジでＧＳＤＦ階調となるように階調を割り当てて、階調補正部の階調補正用ＬＵＴ８７を更新して、キャリブレーションを行う。なお、この階調の割り当て等は、公知の方法によればよい。
【００７２】
すなわち、本発明によれば、望遠輝度計等を用いることなく、簡易な操作で医用画像表示装置のキャリブレーションを行うことができる。
例えば、以上の例では、液晶パネル１０の表面反射輝度、液晶パネル１０の最高輝度および最低輝度を検出するために、係数（関数）を用いていたが、本発明は、これに限定はされず、同様の測定によって作成したＬＵＴを用いて、表面反射輝度等を検出するようにしてもよい。
【００７３】
図９は、本発明の医用画像表示装置に使用する液晶パネルの他の実施例の要部構造を示す平面図である。参照符号１１０は、液晶パネルである。この液晶パネル１１０は、図９では、画素電極やスイッチング素子の駆動回路を形成するアレイ基板を主に表し、アレイ基板に対向して配置するカラーフィルタなどを形成する対向基板を省略するのものとする。
【００７４】
この液晶パネル１１０は、平板状のガラスからなるアレイ基板に、図示を省略する薄膜トランジスタ（ＴＦＴ）や透明な画素電極（ＩＴＯ）や配線パターンを薄膜形成した表示領域２０と、この表示領域２０の外側に設けた非表示領域３０とを有している。
【００７５】
そして、この非表示領域３０には、前述の光センサ４０と同様の光センサ４０ａ、４０ｂ、４０ｃ、４０ｄ、４０ｅが薄膜形成してある。また、液晶パネル１１０には、ゲートドライバ５０とソースドライバ５１とが、ＴＡＢ６０によって電気的に接続している。また、光センサ４０ａ、４０ｂ、４０ｃ、４０ｄ、４０ｅも同様に、ＴＡＢ６０によって上位に電気的に接続している。
【００７６】
また、液晶パネル１１０の裏側には、画素電極を透過させる光を発するバックライト７０ａ、７０ｂ、７０ｃ、７０ｄ、７０ｅが配置されている。このバックライト７０ａ、７０ｂ、７０ｃ、７０ｄ、７０ｅは、それぞれ光センサ４０ａ、４０ｂ、４０ｃ、４０ｄ、４０ｅの近傍に配置されている。
【００７７】
図１０は、本発明の医用画像表示（装置）システムの光計測処理および表示処理を説明する要部構成の一実施例を示すブロック図である。参照符号１８０は、医用画像表示システムである。この医用画像表示システム１８０は、光センサ４０ａ、４０ｂ、４０ｃ、４０ｄ、４０ｅと、この光センサ４０ａ、４０ｂ、４０ｃ、４０ｄ、４０ｅから送られてくる電圧値を増幅する増幅器８１ａ、８１ｂ、８１ｃ、８１ｄ、８１ｅと、この増幅器８１ａ、８１ｂ、８１ｃ、８１ｄ、８１ｅから入力される電圧値を選択して出力する切替器８５と、この切替器８５から送られてくるアナログ値としての電圧値をデジタル値としての光量データに変換するＡ／Ｄ変換器８２と、光量データをモニタする光量モニタ８３と、この光量モニタ８３からの信号を受けて光計測処理および表示処理を行う制御部８６と、制御部８６によって制御される５本のバックライト７０ａ〜７０ｅと、制御部８６とバックライト７０ａ〜７０ｅとの間に配置されるバックライトドライバ７３ａ〜７３ｅとを有している。
なお、制御部８６は、切替器８５の切替動作も制御する。また、制御部８６内には、外部の画像データ供給源（図示せず）からの画像データ信号Ｒを受信して液晶パネル１１０の輝度階調を補正する階調補正用ＬＵＴ（階調補正部）８８を有する。この制御部８６のＬＵＴ８８による階調補正およびＬＵＴ８８のキャリブレーションは、上述したこの制御部８４のＬＵＴ８７による階調補正およびＬＵＴ８７のキャリブレーションと同様に行えば良い。
【００７８】
この医用画像表示システム１８０では、切替器８５が、光センサ４０ａ、４０ｂ、４０ｃ、４０ｄ、４０ｅからの出力を切り替えて、光量モニタ８３からの信号を制御部８６が判断する。なお、図２を用いて説明した同一の測定動作説明は省略する。制御部８６では、異常信号を受けると、ゲートドライバ５０またはソースドライバ５１を制御して、環境光（外光）またはバックライト７０ａ、７０ｂ、７０ｃ、７０ｄ、７０ｅの光量異常を液晶パネル１０に表示させるか、あるいは図示しないスピーカから光量異常の警報を発するか、もしくは光量異常の表示および警報の両方を行う。さらに、バックライト７０ａ、７０ｂ、７０ｃ、７０ｄ、７０ｅのいずれかを判断し、ＣＣＦＬの場合には、異常のバックライト７０ａ、７０ｂ、７０ｃ、７０ｄ、７０ｅに供給する電流値を制御することによって、輝度調節を行っても良い。
【００７９】
以上、本発明の画像表示装置、特に、医用画像表示装置およびシステムならびに光計測処理方法について、詳細に説明したが、本発明は上記実施例に限定はされず、本発明の要旨を逸脱しない範囲において、各種の改良や変更を行ってもよいのは、もちろんである。
【００８０】
例えば、上述の例は、１つまたは５つの光センサを有するものであったが、本発明は、これに限定はされず、２、３または４つの光センサを有するものであってもよく、あるいは、６以上の光センサを有するものであってもよい。
【００８１】
また、上記実施例では、液晶パネル１０が一枚の場合を例に説明したが、複数枚の液晶パネル毎に光センサを設け、各液晶パネルのバックラトの輝度を測定して各液晶パネルの輝度が揃うように調節するのが好ましい。その液晶パネルは、例えば、図１１および図１２に示す電子シャーカステンとして使用することができる。
【００８２】
図１１に、本発明の医用画像表示装置を使用した電子シャーカステンの一実施例を示す。この電子シャーカステン２００は、上述した本発明の液晶パネルを組み込んだ液晶ディスプレイ２０１、２０２、２０３、２０４を制御装置２０５が制御するようになっている。
【００８３】
図１２は、本発明の医用画像表示装置を使用した電子シャーカステンの他の実施例を示す。この電子シャーカステン３００は、上述した本発明の液晶パネルを組み込んだ液晶ディスプレイ３０１、３０２、３０３、３０４を一体の制御装置３０５の筐体に組み込んだ構造になっている。
なお、上述した図２および図１０に示す実施例では、液晶パネル１０および１１０の輝度階調を補正する階調補正用ＬＵＴ（階調補正部）８７および８８を、それぞれ、制御部８４および８６内に有するものであるが、本発明は、これに限定されず、階調補正用ＬＵＴ（階調補正部）を、図１１および図１２に示す制御装置２０５および３０５内に設けて、ＬＵＴによる階調補正およびＬＵＴのキャリブレーションを行っても良い。
【００８４】
なお、上記実施の形態では、アクティブマトリクス液晶パネルとしてＴＦＴ方式を例に説明したが、回路の高密度化に適したＭＩＭ（Ｍｅｔａｌ　Ｉｎｓｕｌａｔｏｒ　Ｍｅｔａｌ）　方式と呼ばれる構造でもよい。これは、スイッチング素子としてＴＦＴの代わりに、金属−絶縁体―金属（ＭＩＭ）による薄膜からなるスイッチング素子を形成した構造である。この場合には、画像の非表示領域外にａ−Ｓｉ等からなる光センサを薄膜形成する。したがって、光センサとＭＩＭとの形成手順をいずれが先でもよいが、いずれか一方を薄膜形成しているときには、他方側をマスクしておけばよい。
【００８５】
なお、上記実施の形態において、光センサ４０によって各発光管の光量を定量的に計測し、制御部８４または８６がその状態を報知するようにしてもよい。
【００８６】
またさらに、上記実施の形態において、制御部８４または８６には、バックライト（ＣＣＦＬ）７０の光量を調節する光量調節手段を設け、光量を調節することによって輝度ムラを補償するようにしてもよい。この光量調節手段は、光量を調節する複数のステップを有するプログラムと、このプログラムを書き込んだＲＯＭやＲＡＭ等の記憶媒体と、この記憶媒体から前記プログラムを読み出して実行するＣＰＵとによって実現することができる。
【００８７】
そのステップとしては、例えば、複数の光センサの出力同士を比較するステップと、その比較の結果、各光センサの出力同士が一致するように、各光センサのランプ電流を制御するステップとを有するもの、または、光センサの出力の閾値を予め設定しておき、その閾値と各光センサの出力とを比較するステップと、その比較の結果、閾値よりも低い光センサの出力が閾値以上の値（閾値に等しい値または閾値以上の任意の値）になるように、ランプ電流を制御するステップとを有するものが考えられるが、これらに限らない。
【００８８】
【発明の効果】
以上、詳細に説明したように、本発明によれば、環境光やバックライトの光量を感知するための光センサと画素電極とスイッチング素子とを同一の透明基板に設けたため、光センサが画面目視に邪魔になることもなく、小型化を図れる、医用画像表示装置を提供することができる。
【００８９】
そのため、従来のように輝度計等の特別な計測装置をその都度用意しなくてもよく、リアルタイムに計測して輝度ムラを補償することができる。また、特に、画素電極とスイッチング素子とともに光センサを透明基板に同一材料で形成するようにすれば、大幅な工程増加なしに容易に薄膜形成できるため、光センサを搭載した医用画像表示装置を低コストで提供することができる。
【００９０】
また、本発明によれば、望遠輝度計などの外部の輝度計を用いることなく、簡便に表面反射輝度、最高輝度や最低輝度の測定を行うことができ、ディスプレイの品質管理の作業性を大幅に向上できる。
【図面の簡単な説明】
【図１】本発明の医用画像表示装置に使用する液晶パネルの一実施例の要部構造を示す平面図である。
【図２】本発明の医用画像表示システムの光計測処理および表示処理を説明する要部構成の一実施例を示すブロック図である。
【図３】（Ａ）は、本発明の医用画像表示装置のアレイ基板の一実施例の要部構造を説明する断面図であり、（Ｂ）は、他の実施例の要部構造を説明する断面図である。
【図４】図３（Ａ）に示すアレイ基板の製造工程を説明する工程図である。（Ａ）〜（Ｄ）は、アレイ基板の各工程時における断面図である。
【図５】図３（Ａ）に示すアレイ基板の製造工程を説明する工程図である。（Ｅ）〜（Ｈ）は、アレイ基板の各工程時における断面図である。
【図６】本発明の医療画像表示装置の液晶パネルの要部構造を示す概略図である。
【図７】本発明の医療画像表示装置に搭載する光センサのｐｎ接合を使わない別の例を説明する図である。（Ａ）は、光センサの断面図である。（Ｂ）は、ゲート電極の平面図である。（Ｃ）は、ゲート電極の他の例の平面図である。
【図８】（Ａ）および（Ｂ）は、本発明における表面反射輝度、最高輝度および最低輝度の検出を説明するためのグラフである。
【図９】本発明の医用画像表示装置に使用する他の例の液晶パネルの要部構造を示す平面図である。
【図１０】本発明の医用画像表示システムの光計測処理を説明する要部構成を示すブロック図である。
【図１１】本発明の医用画像表示装置を使用した電子シャーカステンの一実施例を説明する図である。
【図１２】本発明の医用画像表示装置を使用した電子シャーカステンの他の実施例を説明する図である。
【符号の説明】
１　透明基板
２　ブラックマトリックス
２ａ　窓穴
３　カラーフィルタ
４　シール部材
５　拡散板
１０，１１０　液晶パネル
２０　表示領域
２２　ＴＦＴ
３０　非表示領域
４０，４０ａ，４０ｂ，４０ｃ，４０ｄ，４０ｅ，１４０　光センサ
５０　ゲートドライバ
５１　ソースドライバ
７０，７０ａ，７０ｂ，７０ｃ，７０ｄ，７０ｅ　バックライト
７１　導光板
７３，７３ａ，７３ｂ，７３ｃ，７３ｄ，７３ｅ　（バックライト）ドライバ
８０，１８０　医用画像表示システム
８１　増幅器
８２　変換器
８３　光量モニタ
８４　制御部
８５　切替器
８６　制御部
８７，８８　ＬＵＴ（階調補正部）
１４１　透明部材
２００，３００　電子シャーカステン
２０１，２０２，２０３，２０４液晶ディスプレイ
２０５，３０５　制御装置
３０１，３０２，３０３，３０４　液晶ディスプレイ
【図１】
2004078160.tif 000003
【図２】
2004078160.tif 000004
【図３】
2004078160.tif 000005
【図４】
2004078160.tif 000006
【図５】
2004078160.tif 000007
【図６】
2004078160.tif 000008
【図７】
2004078160.tif 000009
【図８】
2004078160.tif 000010
【図９】
2004078160.tif 000011
【図１０】
2004078160.tif 000012
【図１１】
2004078160.tif 000013
【図１２】
2004078160.tif 000014